(57)【要約】      （修正有）【課題】インプリント時にレジスト層の組成物の流動を促進して、均一な転写を効率よく行うことができるインプリント用モールド構造体、及び該モールド構造体を用いることによって転写精度を向上させたインプリント方法、並びに記録再生特性を向上させた磁気記録媒体、及びその製造方法の提供。【解決手段】円板状の基板と、円周方向に沿って複数の凸部が同心円状に形成されたデータ領域の凹凸部と、前記基板の略中心部から前記基板の周縁部に向かって弧状に複数の凸部が配列されることによって形成され、少なくともプリアンブル部、アドレス部、及びバースト部で構成されたサーボ領域の凹凸部とを有し、前記サーボ領域の凹凸部における凸部の配列方向が、前記基板の半径方向に対してなす角度をθＡ（°）としたとき、少なくとも前記プリアンブル部の凸部が、｜θＡ｜≦２０を満たすことを特徴とするインプリント用モールド構造体等である。【選択図】図２
2009043316.tif 000002
【特許請求の範囲】
【請求項１】
円板状の基板と、該基板の一の表面上に、該表面を基準として円周方向に沿って複数の凸部が同心円状に形成されたデータ領域の凹凸部と、前記基板の一の表面上に、該表面を基準として前記基板の略中心部から前記基板の周縁部に向かって弧状に複数の凸部が配列されることによって形成され、少なくともプリアンブル部、及びバースト部を含むサーボ領域の凹凸部とを有し、前記サーボ領域における凸部の配列方向が、前記基板の半径方向に対してなす角度をθＡ（°）としたとき、少なくとも前記プリアンブル部の凸部が、｜θＡ｜≦２０を満たすことを特徴とするインプリント用モールド構造体。
【請求項２】
サーボ領域における一の凸部の配列方向が基板の半径方向に対してなす角度を、前記基板の半径の寸法で除した値を角度変化率としたとき、少なくともプリアンブル部における角度変化率が、１．０（°／ｍｍ）以下である請求項１に記載のインプリント用モールド構造体。
【請求項３】
プリアンブル部における凸部の配列方向に直交する方向に対して、バースト部における凸部の傾斜方向がなす角度をΔθ（°）としたとき、｜Δθ｜＜６０を満たす請求項１から２のいずれかに記載のインプリント用モールド構造体。
【請求項４】
請求項１から３のいずれかに記載のインプリント用モールド構造体を、磁気記録媒体の基板上に形成されたインプリントレジスト組成物よりなるインプリントレジスト層に押圧して前記インプリント用モールド構造体上に形成された凹凸部に基づく凹凸パターンを転写する転写工程を少なくとも含むことを特徴とするインプリント方法。
【請求項５】
インプリントレジスト組成物の粘度（Ｐ）が、０．５〜１０ｍＰａ・ｓであり、下記数式（１）を満たす請求項４に記載のインプリント方法。
０≦（｜Δθ｜−｜θＡ｜）・Ｐ＜６００・・・・・・・・・・・数式（１）
【請求項６】
請求項１から３のいずれかに記載のインプリント用モールド構造体を、磁気記録媒体の基板上に形成されたインプリントレジスト組成物よりなるインプリントレジスト層に押圧して凹凸パターンを転写する転写工程と、
前記凹凸パターンが転写されたインプリントレジスト層をマスクにして、前記磁気記録媒体の基板の表面に形成された磁性層をエッチングして、インプリント用モールド構造体上に形成されたデータ領域の凹凸部のパターン形状に基づくデータ領域の磁性パターン部、及びサーボ領域の凹凸部のパターン形状に基づくサーボ領域の磁性パターン部を前記磁性層に形成する磁性パターン部形成工程と、
前記磁性層上に形成された凹部に非磁性材料を埋め込む非磁性パターン部形成工程と、
を少なくとも含むことを特徴とする磁気記録媒体の製造方法。
【請求項７】
インプリントレジスト組成物の粘度（Ｐ）が、０．５〜１０ｍＰａ・ｓであり、下記数式（１）を満たす請求項６に記載の磁気記録媒体の製造方法。
０≦（｜Δθ｜−｜θＡ｜）・Ｐ＜６００・・・・・・・・・・・数式（１）
【請求項８】
請求項６から７の少なくともいずれかに記載の磁気記録媒体の製造方法を用いて作製されたことを特徴とする磁気記録媒体。
【発明の詳細な説明】
【技術分野】
【０００１】
本発明は、インプリント用モールド構造体、及び該モールド構造体を用いたインプリント方法、並びに磁気記録媒体、及びその製造方法に関する。
【背景技術】
【０００２】
近年、高速性やコストパフォーマンス性に優れたハードディスクドライブが、ストレージ機器の主力として、携帯電話、小型音響機器や、ビデオカメラなどのポータブル機器に搭載され始めている。
そして、ポータブル機器に搭載される記録デバイスとしてのシェアの拡大に伴い、より一層の小型大容量化という要求に応える必要があり、記録密度を向上させる技術が求められている。
前記ハードディスクドライブの記録密度を高めるためには、磁気記録媒体におけるデータトラック間隔の狭小化や、磁気ヘッドの幅を狭小化するという手法が従来より用いられてきた。
しかしながら、前記データトラック間隔を狭めることにより、隣接トラック間の磁気の影響（クロストーク）や、熱揺らぎの影響が無視できなくなり、記録密度に限界があった。
一方、前記磁気ヘッドの幅を狭小化することによる面記録密度の向上にも限界があった。
【０００３】
そこで、前記クロストークによるノイズを解決する手段として、ディスクリートトラックメディアと呼ばれる形態の磁気記録媒体が提案されている。前記ディスクリートトラックメディアは、隣接するトラック間に非磁性のガードバンド領域を設けて個々のトラックを磁気的に分離したディスクリート構造とすることにより、隣接トラック間の磁気的干渉を低減したものである。
また、前記熱揺らぎによる減磁を解決する手段として、信号記録のための個々のビットを予め所定の形状パターンで備えたパターンドメディアと呼ばれる形態の磁気記録媒体が提案されている。
【０００４】
上記ディスクリートトラックメディアや、パターンドメディアを製造する際には、レジストパターン形成用モールド（「モールド」と称されることもある。）を用いて、磁気記録媒体の表面に形成されたレジスト層に所望のパターンを転写するインプリンティング法（インプリントプロセス）が用いられる（特許文献１参照）。
このインプリンティング法は、具体的には、加工対象となる基材上に、インプリントレジストとして、熱可塑性の樹脂、又は光硬化性の樹脂を塗布し、塗布された樹脂に対して、所望の形状に加工されたモールドを密着し、押圧して、前記樹脂を加熱、又は光照射により硬化させ、前記モールドを引き剥がすことで、該モールドに形成されたパターンに対応したパターンを形成し、このパターンをマスクとして用いてドライ、あるいはウェット方式のエッチングによるパターニングを行い、所望の磁気記録媒体を得る方法である。
【０００５】
また、前記インプリンティング法については、ディスクリートトラックメディアや、パターンドメディアに超微細パターンを形成するための様々な検討がなされている（特許文献２〜３参照）。
しかしながら、上記プロセスによるディスクリートメディアや、パターンドメディアのパターン形成においては、部分的な狭い領域における均一なパターンの形成は良好であったが、メディア全面といった広範囲にわたって、均一なパターンを形成することは困難であるという問題があった。
これは、磁気記録媒体の歩留まりを低下させ、磁気記録媒体の性能を著しく低下させるという結果を招くことにつながる。
したがって、このような結果を招かないためにも、広範囲で均一に転写が行われることによって、効率よく磁気記録媒体を製造する方法が望まれていた。
【０００６】
【特許文献１】特開２００４−２２１４６５号公報
【特許文献２】特開２００６−１２０２９９号公報
【特許文献３】特開２００５−７１４８７号公報
【発明の開示】
【発明が解決しようとする課題】
【０００７】
本発明は、かかる現状に鑑みてなされたものであり、従来における前記諸問題を解決し、以下の目的を達成することを課題とする。即ち、本発明は、インプリントレジスト層に押し当てる際に、前記インプリントレジスト層の組成物の流動を促進して、均一な転写を効率よく行うことができるインプリント用モールド構造体、及び該インプリント用モールド構造体を用いることによって転写精度を向上させたインプリント方法、並びに記録特性、及び再生特性を向上させた磁気記録媒体、及びその製造方法を提供することを目的とする。
【課題を解決するための手段】
【０００８】
本発明者らは、鋭意検討の結果、前記インプリントレジストにモールド構造体を押圧する際に、サーボパターンが弧状であると、インプリントレジストの流動性をより低下させる可能性があるため、前記サーボパターンの配列の態様を規定することによって前記課題が解決されることを知見した。
本発明は、本発明者らによる前記知見に基づくものであり、前記課題を解決するための手段としては、以下の通りである。即ち、
＜１＞  円板状の基板と、該基板の一の表面上に、該表面を基準として円周方向に沿って複数の凸部が同心円状に形成されたデータ領域の凹凸部と、前記基板の一の表面上に、該表面を基準として前記基板の略中心部から前記基板の周縁部に向かって弧状に複数の凸部が配列されることによって形成され、少なくともプリアンブル部、及びバースト部を含むサーボ領域の凹凸部とを有し、前記サーボ領域における凸部の配列方向が、前記基板の半径方向に対してなす角度をθＡ（°）としたとき、少なくとも前記プリアンブル部の凸部が、｜θＡ｜≦２０を満たすことを特徴とするインプリント用モールド構造体である。
該＜１＞に記載のインプリント用モールド構造体においては、磁気記録媒体の基板上に形成されたインプリントレジスト層に所望のパターンを転写する際に、押圧されたインプリントレジスト層の組成物を逃がす流路が適正な弧状によって促進されるので、押圧する際の圧力が分散し、凸部（パターン）の形状に伴う局所的な転写不良が生じにくく、インプリントレジスト層の全面に亘って、スムーズかつ確実なパターンの転写を行うことができる。
＜２＞  サーボ領域の凹凸部において一の凸部の配列方向が基板の半径方向に対してなす角度を、前記基板の半径の寸法で除した値を角度変化率としたとき、少なくともプリアンブル部における前記凸部の角度変化率が、１．０（°／ｍｍ）以下である前記＜１＞に記載のインプリント用モールド構造体である。
＜３＞  プリアンブル部における凸部の配列方向に直交する方向に対して、バースト部における凸部の傾斜方向がなす角度をΔθ（°）としたとき、｜Δθ｜＜６０を満たす前記＜１＞から＜２＞のいずれかに記載のインプリント用モールド構造体である。
＜４＞  前記＜１＞から＜３＞のいずれかに記載のインプリント用モールド構造体を、磁気記録媒体の基板上に形成されたインプリントレジスト組成物よりなるインプリントレジスト層に押圧して前記インプリント用モールド構造体上に形成された凹凸部に基づく凹凸パターンを転写する転写工程を少なくとも含むことを特徴とするインプリント方法である。
＜５＞  インプリントレジスト組成物の粘度（Ｐ）が、０．５〜１０ｍＰａ・ｓであり、下記数式（１）を満たす前記＜４＞に記載のインプリント方法である。
０≦（｜Δθ｜−｜θＡ｜）・Ｐ＜６００・・・・・・・・・・・数式（１）
＜６＞  前記＜１＞から＜３＞のいずれかに記載のインプリント用モールド構造体を、磁気記録媒体の基板上に形成されたインプリントレジスト組成物よりなるインプリントレジスト層に押圧して凹凸パターンを転写する転写工程と、
前記凹凸パターンが転写されたインプリントレジスト層をマスクにして、前記磁気記録媒体の基板の表面に形成された磁性層をエッチングして、インプリント用モールド構造体上に形成されたデータ領域の凹凸部のパターン形状に基づくデータ領域の磁性パターン部、及びサーボ領域の凹凸部のパターン形状に基づくサーボ領域の磁性パターン部を前記磁性層に形成する磁性パターン部形成工程と、
前記磁性層上に形成された凹部に非磁性材料を埋め込む非磁性パターン部形成工程と、
を少なくとも含むことを特徴とする磁気記録媒体の製造方法である。
＜７＞  インプリントレジスト組成物の粘度（Ｐ）が、０．５〜１０ｍＰａ・ｓであり、下記数式（１）を満たす前記＜６＞に記載の磁気記録媒体の製造方法である。
＜８＞  前記＜６＞から＜７＞の少なくともいずれかに記載の磁気記録媒体の製造方法を用いて作製されたことを特徴とする磁気記録媒体である。
【発明の効果】
【０００９】
本発明によると、インプリントレジスト層に押し当てる際に、前記インプリントレジスト層の組成物の流動を促進して、均一な転写を効率よく行うことができるインプリント用モールド構造体、及び該インプリント用モールド構造体を用いることによって転写精度を向上させたインプリント方法、並びに記録特性、及び再生特性を向上させた磁気記録媒体、及びその製造方法を提供することができる。
【発明を実施するための最良の形態】
【００１０】
以下、本発明のインプリント用モールド構造体について図面を参照して説明する。
（インプリント用モールド構造体）
図１は、本発明のインプリント用モールド構造体の概略構成を示す平面図である。また、図２は、本発明のインプリント用モールド構造体の構成を示す部分断面図である。
図１〜２に示すように、インプリント用モールド構造体１は、加工対象物（例えば、後述する図４におけるインプリントレジスト２５）を押圧するものであり、円板状の基板２と、基板２の一の表面２ａ上に、該表面２ａを基準として同心円状に、所定の間隔で複数の凸部が配列されることによって形成されたデータ領域１１０の凹凸部３と、表面２ａ上に、該表面２ａを基準として複数の凸部が半径方向に所定の間隔で弧状に配列されることによって形成されたサーボ領域１２０の凹凸部４と、該サーボ領域１２０の凹凸部４に隣接して形成され、サーボ領域１２０の凹凸部４とを少なくとも有し、更に必要に応じて、その他の部材を備える。
ここで、図１に示すように、サーボ領域１２０は、データ領域１１０を分断するように、円周方向において略等間隔で複数形成されている。
また、サーボ領域１２０は、プリアンブル部１２１、アドレス部１２２、及びバースト部１２３に分けられる。
プリアンブル部１２１は、再生信号のクロックを同期させるための情報が記録された領域である。
具体的には、磁気記録媒体１００の回転偏心等により生ずる時間ズレに対し、サーボ信号再生用クロックを同期させるＰＬＬ処理や、信号再生振幅を適正に保つＡＧＣ処理を行うために設けられている。
このプリアンブル部１２１は、少なくとも基板２の半径方向に略円弧放射状に連続しているとともに基板２の円周方向に凹凸しパターンが１：１の幅比で形成されている。
【００１１】
アドレス部１２２は、サーボマークと呼ばれるサーボ信号認識コード、セクタ情報、シリンダ情報等が、プリアンブル部１２１の円周方向におけるピッチと同一のピッチで、マンチェスタコードにより形成された領域である。
前記シリンダ情報は、サーボトラック毎にその情報が変化するパターンとなる。そのため、ヘッドシーク動作時のアドレス判読ミスの影響が小さくなる様に、グレイコードと呼ばれる隣接トラックとの変化が最小となるコード変換をしてから、マンチェスタコード化して記録されている。
【００１２】
バースト部１２３は、シリンダアドレスのオントラック状態からのオフトラック量を検出するためのオフトラック検出用領域で、更にＡ、Ｂ、Ｃ、Ｄバーストと呼ぶ４つの径方向にパターン位相をずらしたマークが形成されている。
各バーストには、周方向に複数個のマークがプリアンブル部と同一のピッチ周期で配置され、径方向周期は、アドレスパターンの変化周期に比例、換言すれば、サーボトラック周期に比例した周期で設けられている。本実施形態では、各バーストは、周方向に１０周期分形成され、径方向に、サーボトラック周期の２倍長周期で繰返すパターンを取っている。
【００１３】
以下、プリアンブル部１２１において凹凸部を構成する凸部を凸部４ａ、サーボマーク部１２２において凹凸部を構成する凸部を凸部４ｂ、アドレス部１２３において凹凸部を構成する凸部を凸部４ｃ、及びバースト部１２４において凹凸部を構成する凸部を凸部４ｄとする。
【００１４】
図２に示すように、基板２の半径方向に対して、サーボ領域１２０の凹凸部４における一の凸部の配列方向がなす角度をθＡ（°）としたときに、サーボ領域１２０の凹凸部４における全ての凸部のうち、少なくともプリアンブル部１２１の凸部４ａが、｜θＡ｜≦２０を満たすことが好ましい。
また、基板２の半径方向に対する、前記一の凸部の配列方向がなす角度θＡ（°）は、測定顕微鏡装置（ＭＭ−４００，（株）ニコン製）を用いて測定される。
【００１５】
また、サーボ領域１２０の凹凸部４における一の凸部４ａの配列方向が基板２の半径方向に対してなす角度（θＡ（°））を、基板２の半径の寸法で除した値を角度変化率としたとき、サーボ領域１２０の凹凸部４における全ての凸部のうち、少なくともプリアンブル部１２１の凸部４ａの角度変化率が、１．０（°／ｍｍ）以下であることが更に好ましい。
【００１６】
また、プリアンブル部１２１の凸部４ａの配列方向に直交する方向に対して、バースト部１２４の凸部４ｃが傾斜する方向がなす角度をΔθ（°）としたとき、｜Δθ｜＜６０を満たすことが好ましい。
また、前記角度Δθ（°）も、前記角度θＡ（°）と同様に、測定顕微鏡装置（ＭＭ−４００，（株）ニコン製）を用いて測定される。
【００１７】
前記同心円の半径方向（データ領域の凹凸部３が配列されている方向）におけるデータ領域の凹凸部３の断面形状は、例えば、矩形をなしている。
なお、データ領域の凹凸部３の断面形状は、矩形に限られず、目的に応じて、後述するエッチング工程を制御することにより、任意の形状を選択することができる。
以下、本実施形態の説明において、「断面（形状）」とは、特に断りがない限り、前記同心円の半径方向（データ領域の凹凸部３が配列されている方向）における断面（形状）を指す。
【００１８】
−その他の部材−
前記その他の部材としては、本発明の効果を害しない限り特に制限はなく、目的に応じて適宜選択することができ、例えば、基板２上に層状に形成され、インプリントレジスト層に対して剥離機能を備えた剥離層等が挙げられる。
【００１９】
＜＜インプリントレジスト層＞＞
前記インプリントレジスト層は、インプリントレジスト組成物（以下、「インプリントレジスト液」ということがある。）を磁気記録媒体の基板に塗布することによって形成される層である。
インプリントレジスト層２５としては、特に制限はなく、目的に応じて公知のものの中から適宜選択することができるが、例えば、熱可塑性樹脂、及び光硬化性樹脂の少なくともいずれかを含有するインプリントレジスト組成物（以下、「インプリントレジスト液」ということがある。）を磁気記録媒体の基板４０に塗布することによって形成される層である。また、インプリントレジスト層１３を形成するインプリントレジスト組成物としては、例えば、ノボラック系樹脂、エポキシ樹脂、アクリル樹脂、有機ガラス樹脂、無機ガラス樹脂などが用いられる。
前記インプリントレジスト層の厚さとしては、モールド１の表面２ａ上に形成される凸部の高さに対して５％以上、２００％未満であることが好ましい。５％未満ではレジスト量が不足し、所望のレジストパターンを形成することができない。
インプリントレジスト層の厚さは、例えば、レジスト塗布基板より一部レジストを剥離、剥離後の段差をＡＦＭ装置（Ｄｉｍｅｎｓｉｏｎ５０００、日本ビーコ（株）製）にて測定することができる。
【００２０】
［インプリントレジスト組成物の粘度］
前記インプリントレジスト組成物の粘度は、例えば、超音波式粘度計などを用いて測定される。
【００２１】
本発明のインプリント用モールド構造体は、下記数式（１）を満たすことがより好ましい。
０≦（｜Δθ｜−｜θＡ｜）・Ｐ＜６００・・・・・・・・・・・数式（１）
但し、上記数式（１）において、０．５≦Ｐ≦７０である。
【００２２】
＜インプリント用モールド構造体の作製方法＞
以下、本発明に係るインプリント用モールド構造体の作製方法の例について図面を参照して説明する。なお、本発明に係るインプリント用モールド構造体は、下記の作製方法以外の作製方法により作製されたものであってもよい。
【００２３】
―原盤の作製―
図３Ａ〜Ｂは、モールド構造体１の作製方法を示す断面図である。図３Ａに示すように、まず、Ｓｉ基材１０上に、スピンコートなどでノボラック系樹脂、アクリル樹脂などのフォトレジスト液を塗布し、フォトレジスト層２１を形成する。
その後、Ｓｉ基材１０を回転させながら、サーボ信号に対応して変調したレーザー光（又は電子ビーム）を照射し、フォトレジスト全面に所定のパターン、例えば各トラックに回転中心から半径方向に線状に延びるサーボ信号に相当するパターンを円周上の各フレームに対応する部分に露光する。
その後、フォトレジスト層２１を現像処理し、露光部分を除去して、除去後のフォトレジスト層２１のパターンをマスクにしてＲＩＥなどにより選択エッチングを行い、凹凸形状を有する原盤１１を得る。
【００２４】
原盤１１からモールドを作製するモールドの作製方法としてはメッキ法、ナノインプリント法などを用いることができる。
メッキ法でのモールド作製方法は以下の通りである。
まず、原盤１１の表面に導電層（図示せず）を形成する。
前記導電膜の形成方法としては、一般的に真空製膜方法（スパッタリング、蒸着など）、無電解メッキ法などを用いることができる。
前記導電層の材料としては、Ｎｉ、Ｃｒ、Ｗ、Ｔａ、Ｆｅ、Ｃｏのうち、少なくとも一種類の元素を含有する金属、合金を用いることができ、Ｎｉ、Ｃｏ、ＦｅＣｏ合金などが好ましい。また、導電性を示すＴｉＯなどの非金属材質も前記導電層として使用可能である。
前記導電層の膜厚は、５ｎｍ〜３０ｎｍの範囲が好ましく、１０ｎｍ〜２５ｎｍの範囲がより好ましい。
上記導電層を形成した原盤を用い、メッキ法にて金属、及び合金素材を積層して、所定の厚みとなるまで形成した後に、原盤１１からメッキ基体を剥離することでモールドを形成する。
ここで、前記モールドを構成するメッキ素材としては、Ｎｉ、Ｃｒ、ＦｅＣｏ合金などを使用することができ、Ｎｉ素材を用いたものが特に好ましい。
また、引き剥がし後のモールド１の厚みは、３０μｍ〜５００μｍの範囲が好ましく、４５μｍ〜３００μｍの範囲がより好ましい。３０μｍ未満ではモールドの剛性が低下し機械特性を確保することができない。
加えて、上記転写工程（ＮＩＬ、ナノインプリントリソグラフィ）を多数回実施することで、モールド１自身が変形し、著しく実用特性が低下することがある。したがって、モールドの厚みが５００μｍ以上では剛性が高くなりすぎるため、ＮＩＬ時のモールド１と、磁気記録媒体の基板４０との間の密着を確保することができない。
密着確保のためには、密着圧力をあげる必要があるため、異物などが混入した際にはモールド１と、磁気記録媒体の基板４０との間に致命的な形状欠陥が発生する。
【００２５】
なお、上記モールドを原盤１１として用いて、モールド１の複製を行ってもよい。
ナノインプリント法を用いたモールドの複製方法は以下の通りである。
図３Ｂに示すように、熱可塑性樹脂、あるいは光硬化性樹脂を含有するインプリントレジスト液を塗布してなるインプリントレジスト層２５が一方の面に形成された基板４０に対して、原盤１１を押し当て、原盤１１上に形成された凸部のパターンがインプリントレジスト層２５に転写される。
【００２６】
ここで、基板４０の材料は、光透過性を有し、モールド構造体１として機能する強度を有する材料であれば、特に制限されることなく、目的に応じて適宜選択され、例えば、石英（ＳｉＯ２）や、有機樹脂（ＰＥＴ、ＰＥＮ、ポリカーボネート、低融点フッ素樹脂）等が挙げられる。
また、前記「光透過性を有する」とは、具体的には、基板４０にインプリントレジスト層２５が形成される一方の面から出射するように、基板４０の他方の面から光を入射した場合に、インプリントレジスト液が十分に硬化することを意味しており、少なくとも、前記他方の面から前記一方の面へ波長２００ｎｍ以上の光の光透過率が５０％以上であることを意味する。
また、前記「モールド構造体として機能する強度」とは、基板４０上に形成されたインプリントレジスト層２５に対して、平均面圧力が１ｋｇｆ／ｃｍ２以上という条件下で押し当て、加圧しても剥離可能に破損しない強度を意味する。
【００２７】
―硬化工程―
その後、インプリントレジスト層２５に熱を印加する、あるいは、紫外線などを照射して転写されたパターンを硬化させる。紫外線を照射してパターンを硬化する場合は、パターニング後であってモールド構造体と磁気記録媒体とを剥離した後に紫外線を照射し硬化してもよい。
【００２８】
―パターン形成工程―
その後、転写されたパターンをマスクにしてＲＩＥなどにより選択エッチングを行い、凹凸形状を有するモールド構造体１を得る。また基材の表面に無機系材質を形成し、レジストマスクを基として無機系材質マスクを形成し、この無機系材質マスクを用いて基材をエッチングし、モールド構造体１を形成してもよい。
【００２９】
（磁気記録媒体）
以下、本発明に係るインプリント用モールド構造体を用いて作製されたディスクリートトラックメディアや、パターンドメディアなどの磁気記録媒体を、図面を参照して説明する。但し、本発明に係る磁気記録媒体は、本発明に係るインプリント用モールド構造体を用いて製造されていれば、下記の製造方法以外の製造方法により作製されたものであってもよい。
【００３０】
図４に示すように、磁性層５０と、インプリントレジスト液を塗布してなるインプリントレジスト層２５とがこの順に形成された磁気記録媒体の基板４０に対して、モールド構造体１を押し当て、加圧することにより、モールド構造体１上に形成されたデータ領域の凹凸部３、及びサーボ領域１２０の凹凸部４のパターンがインプリントレジスト層２５に転写される。
【００３１】
ここで、磁気記録媒体の作製におけるインプリントレジスト層２５として、インプリント用モールド構造体の作製におけるインプリントレジスト層２４と同じインプリントレジスト組成物を採用してもよい。
以下、特に断らない限り、インプリントレジスト層、及びインプリントレジスト組成物は、磁気記録媒体の作製におけるインプリントレジスト層２５、及び該インプリントレジスト層２５を形成するインプリントレジスト組成物を指すものとする。
【００３２】
その後、データ領域の凹凸部３、及びサーボ領域１２０の凹凸部４のパターンが転写されたインプリントレジスト層２５をマスクにして、エッチング工程を行い、モールド構造体１上に形成された凹凸部に基づく凹凸パターンを磁性層５０に形成し、凹部に非磁性材料を埋め込むことによって、非磁性層７０を形成し、表面を平坦化した後、必要に応じて、保護膜形成などのその他の工程を行って磁気記録媒体１００を得る。
前記エッチング工程は、データ領域におけるインプリントレジスト層２５に形成されたレジスト凹凸パターン形状に基づく凹凸形状を、データ領域の磁性層５０に形成する工程である。
前記凸凹形状の形成方法としては、イオンビームエッチング、反応性化学エッチング、ウェットエッチングなどの手法を用いることができる。
イオンビームエッチングでのプロセスガスとしては、Ａｒ、反応性化学エッチングのエッチャントとしてはＣＯ＋ＮＨ３、塩素ガスなどを用いることができる。
前記その他の工程としては、必要に応じて、前記磁性層の凹部をＳｉＯ２、カーボン、アルミナ；ポリメタクリル酸メチル（ＰＭＭＡ）、ポリスチレン（ＰＳ）等のポリマー；潤滑油等の非磁性材料で埋める工程、表面を平坦化する工程、平坦化した表面にＤＬＣ（ダイヤモンドライクカーボン）等で保護膜を形成する工程、最後に潤滑剤を塗布する工程などが挙げられる。
【００３３】
図５は、本発明の磁気記録媒体の構成を示す平面図である。
上記のようにして作製された本発明の磁気記録媒体は、図５に示すように、基板４０の一の表面上に、同心円状に、所定の間隔で形成された複数のデータ領域の磁性パターン部５１と、基板２の半径方向に所定の間隔で形成された複数のサーボ領域の磁性パターン部５２とが非磁性層７０によって隔たれて形成されている。
【００３４】
また、基板４０の表面上において、データ領域の磁性パターン部５１が形成された領域はデータ領域１３０であり、前記表面上においてサーボ領域の磁性パターン部５２が形成された領域はサーボ領域１４０である。
このようなデータ領域１３０、及びサーボ領域１４０の構成において、サーボ領域１４０は、データ領域１３０を分断するように、円周方向において略等間隔で複数形成されている。
【００３５】
また、図５に示すように、サーボ領域１４０において、基板４０の半径方向に対して、サーボ領域の磁性パターン部５２ａの配列方向がなす角度をθＡとしたときに、全てのサーボ領域の磁性パターン部５２のうち、少なくともプリアンブル部１４１のサーボ領域の磁性パターン部５２ａの配列方向が、｜θＡ｜≦２０を満たすことが好ましい。
なお、基板４０の半径方向に対して、サーボ領域の磁性パターン部５２ａの配列方向がなす角度θＡは、測定顕微鏡装置（ＭＭ−４００，（株）ニコン製）を用いて測定される。
【００３６】
また、サーボ領域１４０において、基板４０の半径方向に対して、全てのサーボ領域の磁性パターン部５２のうち、少なくともプリアンブル部１４１の磁性パターン部５２ａの配列方向がなす角度の変化率が１．０°／ｍｍ以下であることがより好ましい。
【００３７】
また、プリアンブル部１４１の磁性パターン部５２ａの配列方向に直交する方向に対して、バースト部１４４の磁性パターン部５２ｄが傾斜する方向がなす角度をΔθ（°）としたとき、｜Δθ｜＜６０を満たすことが好ましい。
また、前記角度Δθ（°）も、前記角度θＡ（°）と同様に、測定顕微鏡装置（ＭＭ−４００，（株）ニコン製）を用いて測定される。
【００３８】
本発明の磁気記録媒体においても、インプリントレジスト組成物の粘度をＰ（ｍＰａ・ｓ）としたときに、下記数式（１）を満たすことがより好ましい。
１５≦（｜Δθ｜−｜θＡ｜）・Ｐ＜１，５００・・・・・・・・・・・数式（１）
但し、上記数式（１）において、０．５≦Ｐ≦７０である。
【実施例】
【００３９】
以下、本発明の実施例について説明するが、本発明は下記実施例に何ら限定されるものではない。
（実施例１）
＜インプリント用モールド構造体の作製＞
＜＜原盤の作製＞＞
直径８インチの円板状のＳｉ基板上に電子線レジストを、スピンコート法を用いて１００ｎｍの厚さに塗布した。
回転式電子線露光装置にて所望のパターンを露光、現像することで、凹凸パターンを有する前記電子線レジストをＳｉ基板上に形成する。
凹凸パターンを有する前記電子線レジストをマスクとして、前記Ｓｉ基板に対して反応性イオンエッチング処理を行い、Ｓｉ基板上に凹凸形状を形成する。
残存した前記電子線レジストを、可溶溶剤にて洗浄することで除去し、乾燥した後に原盤を得た。
【００４０】
ここで、前記凹凸パターンは、データ部における凹凸パターンと、サーボ部における凹凸パターンとに大別される。
データ部は、凸部の巾：１２０ｎｍ、凹部の巾：３０ｎｍ（トラックピッチ＝１５０ｎｍ）の凹凸パターンとした。
サーボ部に関しては、基準信号長を８０ｎｍとし、総セクタ数を１２０とし、プリアンブル部（４５ｂｉｔ）、ＳＡＭ部（１０ｂｉｔ）、ＳｅｃｔｏｒＣｏｄｅ部（８ｂｉｔ）、ＣｙｌｉｎｄｅｒＣｏｄｅ部（３２ｂｉｔ）、及びＢｕｒｓｔ部で構成されている。
また、θＡは１５°に設定した。
前記ＳＡＭ部は、“００００１０１０１１”であり、前記ＳｅｃｔｏｒＣｏｄｅ部における凹凸パターンは、Ｂｉｎａｒｙ変換を用いて形成され、ＣｙｌｉｎｄｅｒＣｏｄｅ部における凹凸パターンは、Ｇｒａｙ変換を用いて形成され、最終的にマンチェスター変換を用いて形成される。
また、前記Ｂｕｒｓｔ部における凹凸パターンは、一般的な位相バースト信号（１６ｂｉｔ）である。
また、プリアンプル部における凹凸パターンに対する傾斜角（Δθ）は３０°である。
【００４１】
その後、石英基板上にノボラック系レジスト（マイクロレジスト社ｍｒ−Ｉ  ７０００Ｅ）を１００ｎｍ、スピンコート法（３，６００ｒｐｍ）によって形成した。
そして、原盤をモールドとして使用し、ナノインプリントを行った。ナノインプリント後の凹凸レジストパターンを元にエッチャントとしてＣＨＦ３を用いたＲＩＥでインプリント用モールド構造体１を得た。
【００４２】
＜磁気記録媒体の作製＞
２．５インチガラス基板上に、以下の手順で各層を形成し、磁気記録媒体を作製した。
作製した磁気記録媒体は、軟磁性層、第１の非磁性配向層、第２の非磁性配向層、磁性層（「磁気記録層」ということがある。）、保護層、及び潤滑剤層が順次形成されている。
なお、軟磁性膜、第１の非磁性配向層、第２の非磁性配向層、磁気記録層、及び保護層はスパッタリング法で形成し、潤滑剤層はディップ法で形成した。
【００４３】
＜軟磁性層の形成＞
軟磁性層として、ＣｏＺｒＮｂよりなる層を１００ｎｍの厚さで形成した。
具体的には、前記ガラス基板を、ＣｏＺｒＮｂターゲットと対向させて設置し、Ａｒガスを０．６Ｐａの圧になるように流入させ、ＤＣ  １，５００Ｗで成膜した。
【００４４】
＜第１の非磁性配向層の形成＞
第１の非磁性配向層として、５ｎｍの厚さのＴｉ層を形成した。
具体的に、第１の非磁性配向層は、Ｔｉターゲットと対向設置し、Ａｒガスを０．５Ｐａの圧になるように流入させ、ＤＣ  １，０００Ｗで放電し、５ｎｍの厚さになるようにＴｉシード層を成膜した。
【００４５】
＜第２の非磁性配向層の形成＞
その後、第２の非磁性配向層として、１０ｎｍの厚さのＲｕ層を形成した。
第１の非磁性配向層形成後に、Ｒｕターゲットと対向させて設置し、Ａｒガスを０．５Ｐａの圧になるように流入させ、ＤＣ  １，０００Ｗで放電し、１０ｎｍの厚さになるように第２の非磁性配向層としてＲｕ層を成膜した。
【００４６】
＜磁気記録層の形成＞
その後、磁気記録層として、ＣｏＣｒＰｔＯ層を１５ｎｍの厚さで形成した。
具体的には、ＣｏＰｔＣｒターゲットと対向させて設置し、Ｏ２  ０．０４％を含むＡｒガスを、圧力が１８Ｐａとなるようにして流入させ、ＤＣ  ２９０Ｗで放電し、磁気記録層を形成した。
【００４７】
＜保護層の形成＞
磁性層形成後に、Ｃターゲットと対向させて設置し、Ａｒガスを、圧力が０．５Ｐａになるように流入させ、ＤＣ  １，０００Ｗで放電し、Ｃ保護層を４ｎｍの厚さで形成した。
なお、磁気記録媒体の保磁力は、３３４ｋＡ／ｍ（４．２ｋＯｅ）とした。
また、本実施例における磁気記録媒体の第１の非磁性材料は、ＰｔＯである。
【００４８】
＜インプリントレジスト層の形成＞
前記保護層上に、アクリル系レジスト（東洋合成工業社ＰＡＫ−０１−５００）を２００ｎｍの厚さになるように、スピンコート法（３，６００ｒｐｍ）により、第１のインプリントレジスト層を形成した。
【００４９】
＜転写工程＞
インプリントレジスト層が形成された基板に対して、上記モールドの凹凸部が形成された側の面を対向させて配置し、インプリントレジスト層が形成された基板を３ＭＰａの圧力にて１０秒間密着させ、紫外線を１０ｍＪ／ｃｍ２照射した。
以上の工程を終了した後、インプリントレジスト層が形成された基板から前記モールドを剥離した。
その後、前記モールドの凹凸部に基づく凹凸パターンをインプリントレジスト層に転写することによって、該インプリントレジスト層に形成された凹凸パターンのうち、凹部に残存したインプリントレジスト層を、Ｏ２反応性化学エッチングにて除去した。このＯ２反応性化学エッチングは、前記凹部において前記磁性層が露出するように行われる。
【００５０】
＜磁性パターン部形成工程＞
前記凹部に残存したインプリントレジスト層を除去した後に、磁性層の凹凸形状の加工を実施した。
磁性層の加工としては、イオンビームエッチング法を用いた。
具体的には、Ａｒガスを用い、イオン加速エネルギーは５００ｅＶとし、磁性層に対して垂直方向よりイオンビームを入射した。
このようにして磁性層を加工した後、Ｏ２反応性化学エッチングにて、磁性層（未加工部分）上に残存したレジストを除去する。
その後、ディップ法により、ＰＦＰＥ潤滑剤を２ｎｍの厚さに塗布した。
【００５１】
＜非磁性パターン部形成工程＞
上記磁性層を加工した後に、磁性材料を含む層として、厚さが５０ｎｍとなるように、スパッタリングを実施してＳｉＯ２層を形成し、イオンビームエッチングにて磁性層と、非磁性層とが面一になるように、ＳｉＯ２層を除去した。
【００５２】
＜インプリント用モールド構造体の評価＞
＜＜レジストパターンの成形性評価＞＞
サーボ領域被覆前の基体を用い、データ領域と、サーボ領域との間のレジスト形状を比較し、ＮＩＬの均一性の評価を以下のように実施した。
まず、転写工程を経てレジストパターンが形成された垂直磁気記録媒体の中間体を破断し、走査型電子顕微鏡（ＦＥ−ＳＥＭ  Ｓ８００、日立製作所（株）製）を用いて、破断後の断面に対するデータ領域の残レジスト厚、サーボ領域におけるバースト部の残レジスト厚を測定した。
なお、サーボ領域におけるバースト部の残レジスト厚と、データ領域の残レジスト厚との比が０．８〜１．０であれば“○”、０．８未満であれば“×”と評価した。
また、１ディスクに対して半径２５ｍｍ、ほぼ等角度間隔で８カ所の上記測定を行い、この平均値にてレジストパターンの成形性を評価した。結果を表１に示す。
【００５３】
＜＜バースト部パターン成形性評価＞＞
バースト部のパターンに対して以下のパターン成形性評価を実施した。アドレス部に近接したバースト部のパターン開始位置のレジスト厚（ｄ１）、及びパースト部のパターン終了位置のレジスト厚（ｄ２）を上述と同じ方法で測定した。
また、１ディスクに対して半径２０、２５、３０ｍｍ、ほぼ等角度間隔で８カ所の上記測定を行い、この平均値にてレジストパターンの成形性を評価した。
なお、ｄ２／ｄ１が０．７未満であれば“×”、０．７以上０．９未満であれば“△”、０．９以上０．９５未満であれば“○”、０．９５以上であれば“◎”と評価した。結果を表１に示す。
【００５４】
＜磁気記録媒体の評価＞
＜＜サーボ信号の品位の評価＞＞
評価装置として、協同電子社製ＬＳ−９０を用い、リード巾１３０ｎｍ、ライト巾２２０ｎｍのＧＭＲヘッドを装着した。
磁性層を加工した後の垂直磁気記録媒体の基板に対して、半径２０ｍｍ〜３２ｍｍの領域を１ｍｍ間隔で、プリアンブル部、及びバースト部のＴＡＡ（Ｔｒａｃｋ  Ａｖｅｒａｇｅ  Ａｍｐｌｉｔｕｄｅ）再生出力を全セクタ分検出する。
全測定箇所のプリアンブル部の平均出力を算出し、この平均出力に対して８０％以下の出力となる測定箇所の数について、下記評価基準に基づき、評価した。なお、下記評価において、使用可能な評価は“○”、及び“△”である。
【００５５】
［評価基準］
○：１個以内
△：２〜４個
×：５個以上
【００５６】
また、プリアンブル部の平均出力に対する位相バースト部平均出力の比が０．８以下の測定箇所の数について、下記評価基準に基づき、評価した。なお、下記評価において、使用可能な評価は“○”、及び“△”である。
○：１個以内
△：２〜５
×：６個以上
【００５７】
（実施例２）
＜インプリント用モールド構造体の作製＞
実施例１において角度変化率を１．２に変更した以外は、実施例１と同様にして、実施例２のインプリント用モールド構造体を作製し、実施例１と同様にして、レジストパターンの成形性を評価した。結果を表１に示す。
【００５８】
＜磁気記録媒体の作製＞
上記において作製したインプリント用モールド構造体を用いて、実施例１と同様にして実施例２の磁気記録媒体を作製した。
【００５９】
＜磁気記録媒体の評価＞
作製した磁気記録媒体について、実施例１と同様にして、サーボ信号の品位を評価した。結果を表１に示す。
【００６０】
（実施例３）
＜インプリント用モールド構造体の作製＞
実施例２において、Δθを６０°に変更した以外は、実施例１と同様にして、実施例２のインプリント用モールド構造体を作製し、実施例１と同様にして、レジストパターンの成形性を評価した。結果を表１に示す。
【００６１】
＜磁気記録媒体の作製＞
上記において作製したインプリント用モールド構造体を用いて、レジストをＰＡＫ０１に変更した以外は、実施例２と同様にして、実施例３の磁気記録媒体を作製した。
【００６２】
＜磁気記録媒体の評価＞
作製した磁気記録媒体について、実施例１と同様にして、サーボ信号の品位を評価した。結果を表１に示す。
【００６３】
（実施例４）
＜インプリント用モールド構造体の作製＞
実施例１において、Δθを６５°に変更した以外は、実施例１と同様にして、実施例３のインプリント用モールド構造体を作製し、実施例１と同様にして、レジストパターンの成形性を評価した。結果を表１に示す。
【００６４】
＜磁気記録媒体の作製＞
上記において作製したインプリント用モールド構造体を用いて、実施例１と同様にして磁気記録媒体を作製した。
【００６５】
＜磁気記録媒体の評価＞
作製した磁気記録媒体について、実施例１と同様にして、サーボ信号の品位を評価した。結果を表１に示す。
【００６６】
（実施例５）
＜磁気記録媒体の作製＞
実施例１において、レジストをＰＡＫ０１−１０００に変更した以外は、実施例１と同様にして、実施例５の磁気記録媒体を作製した。
【００６７】
＜磁気記録媒体の評価＞
作製した磁気記録媒体について、実施例１と同様にして、サーボ信号の品位を評価した。結果を表１に示す。
【００６８】
（実施例６）
＜磁気記録媒体の作製＞
実施例１において、レジストをＰＡＫ０１に変更した以外は、実施例１と同様にして、実施例６の磁気記録媒体を作製した。
【００６９】
＜磁気記録媒体の評価＞
作製した磁気記録媒体について、実施例１と同様にして、サーボ信号の品位を評価した。結果を表１に示す。
【００７０】
（実施例７）
＜インプリント用モールド構造体の作製＞
実施例１において、θＡを１９°に変更し、角度変化率を１に変更した以外は、実施例１と同様にして、実施例７のインプリント用モールド構造体を作製し、実施例１と同様にして、レジストパターンの成形性を評価した。結果を表１に示す。
【００７１】
＜磁気記録媒体の作製＞
上記において作製したインプリント用モールド構造体を用いて、実施例１と同様にして実施例の磁気記録媒体を作製した。
【００７２】
＜磁気記録媒体の評価＞
作製した磁気記録媒体について、実施例１と同様にして、サーボ信号の品位を評価した。結果を表１に示す。
【００７３】
（実施例８）
＜インプリント用モールド構造体の作製＞
実施例１において、角度変化率を１．５に変更した以外は、実施例１と同様にして、実施例８のインプリント用モールド構造体を作製し、実施例１と同様にして、レジストパターンの成形性を評価した。結果を表１に示す。
【００７４】
＜磁気記録媒体の作製＞
上記において作製したインプリント用モールド構造体を用いて、実施例１と同様にして実施例８の磁気記録媒体を作製した。
【００７５】
＜磁気記録媒体の評価＞
作製した磁気記録媒体について、実施例１と同様にして、サーボ信号の品位を評価した。結果を表１に示す。
【００７６】
（実施例９）
＜インプリント用モールド構造体の作製＞
実施例７において、Δθを６５°に変更した以外は、実施例７と同様にして、実施例９のインプリント用モールド構造体を作製し、実施例１と同様にして、レジストパターンの成形性を評価した。結果を表１に示す。
【００７７】
＜磁気記録媒体の作製＞
上記において作製したインプリント用モールド構造体を用いて、実施例１と同様にして実施例９の磁気記録媒体を作製した。
【００７８】
＜磁気記録媒体の評価＞
作製した磁気記録媒体について、実施例１と同様にして、サーボ信号の品位を評価した。結果を表１に示す。
【００７９】
（実施例１０）
＜磁気記録媒体の作製＞
実施例７において、レジストをＰＡＫ０１−１０００に変更した以外は、実施例７と同様にして、実施例１０の磁気記録媒体を作製した。
【００８０】
＜磁気記録媒体の評価＞
作製した磁気記録媒体について、実施例１と同様にして、サーボ信号の品位を評価した。結果を表１に示す。
【００８１】
（実施例１１）
＜インプリント用モールド構造体の作製＞
実施例７において、レジストをＰＡＫ０１に変更した以外は、実施例７と同様にして、実施例１１の磁気記録媒体を作製した。
【００８２】
＜磁気記録媒体の評価＞
作製した磁気記録媒体について、実施例１と同様にして、サーボ信号の品位を評価した。結果を表１に示す。
【００８３】
（実施例１２）
＜インプリント用モールド構造体の作製＞
実施例１において、θＡを２０°に変更した以外は、実施例１と同様にして、実施例１２のインプリント用モールド構造体を作製し、実施例１と同様にして、レジストパターンの成形性を評価した。結果を表１に示す。
【００８４】
＜磁気記録媒体の作製＞
上記において作製したインプリント用モールド構造体を用いて、レジストをＰＡＫ０１−６０に変更した以外は、実施例１と同様にして、実施例１２の磁気記録媒体を作製した。
【００８５】
＜磁気記録媒体の評価＞
作製した磁気記録媒体について、実施例１と同様にして、サーボ信号の品位を評価した。結果を表１に示す。
【００８６】
（比較例１）
＜インプリント用モールド構造体の作製＞
実施例１において、θＡを２２°に変更した以外は、実施例１と同様にして、比較例１のインプリント用モールド構造体を作製し、実施例１と同様にして、レジストパターンの成形性を評価した。結果を表１に示す。
【００８７】
＜磁気記録媒体の作製＞
上記において作製したインプリント用モールド構造体を用いて、実施例１と同様にして比較例１の磁気記録媒体を作製した。
【００８８】
＜磁気記録媒体の評価＞
作製した磁気記録媒体について、実施例１と同様にして、サーボ信号の品位を評価した。結果を表１に示す。
【００８９】
（比較例２）
＜インプリント用モールド構造体の作製＞
比較例１において、角度変化率を０に変更し、Δθを３０°に変更した以外は、比較例１と同様にして、比較例２のインプリント用モールド構造体を作製し、実施例１と同様にして、レジストパターンの成形性を評価した。結果を表１に示す。
【００９０】
＜磁気記録媒体の作製＞
上記において作製したインプリント用モールド構造体を用いて、実施例１と同様にして比較例２の磁気記録媒体を作製した。
【００９１】
＜磁気記録媒体の評価＞
作製した磁気記録媒体について、実施例１と同様にして、サーボ信号の品位を評価した。結果を表１に示す。
【００９２】
（比較例３）
＜インプリント用モールド構造体の作製＞
比較例１において、角度変化率を０に変更し、Δθを０°に変更した以外は、比較例１と同様にして、比較例３のインプリント用モールド構造体を作製し、実施例１と同様にして、レジストパターンの成形性を評価した。結果を表１に示す。
【００９３】
＜磁気記録媒体の作製＞
上記において作製したインプリント用モールド構造体を用いて、実施例１と同様にして比較例３の磁気記録媒体を作製した。
【００９４】
＜磁気記録媒体の評価＞
作製した磁気記録媒体について、実施例１と同様にして、サーボ信号の品位を評価した。結果を表１に示す。
【００９５】
（比較例４）
＜インプリント用モールド構造体の作製＞
比較例３において、θＡを２１°に変更した以外は、比較例３と同様にして、比較例４のインプリント用モールド構造体を作製し、実施例１と同様にして、レジストパターンの成形性を評価した。結果を表１に示す。
【００９６】
＜磁気記録媒体の作製＞
上記において作製したインプリント用モールド構造体を用いて、実施例１と同様にして比較例４の磁気記録媒体を作製した。
【００９７】
＜磁気記録媒体の評価＞
作製した磁気記録媒体について、実施例１と同様にして、サーボ信号の品位を評価した。結果を表１に示す。
【００９８】
【表１】
2009043316.tif 000003
【００９９】
表１に示すように、インプリント用モールド構造体のサーボ領域の凹凸部における全ての凸部のうち、少なくともプリアンブル部の凸部４ａの配列が、｜θＡ｜≦２０を満たす実施例１〜１２は、｜θＡ｜＞２０°の比較例１〜４に対して、転写性（レジストパターン成形性）が高いインプリント用モールド構造体を提供することができた。
また、サーボ領域の凹凸部における全ての凸部のうち、プリアンブル部の凸部の角度変化率が、１．０（°／ｍｍ）以下である実施例１、４〜７、９〜１２は、プリアンブル出力特性に優れた磁気記録媒体を作製することができた。
【図面の簡単な説明】
【０１００】
【図１】図１は、本発明のインプリント用モールド構造体の構成を示す平面図である。
【図２】図２は、本発明のインプリント用モールド構造体の構成を示す平面図である。
【図３Ａ】図３Ａは、本発明のインプリント用モールド構造体の製造方法を示す断面図である。
【図３Ｂ】図３Ｂは、本発明のインプリント用モールド構造体の製造方法を示す断面図である。
【図４】図４は、本発明のインプリント用モールド構造体を用いて磁気記録媒体を製造する製造方法を示す断面図である。
【図５】図５は、本発明の磁気記録媒体の構成を示す平面図である。
【符号の説明】
【０１０１】
１      モールド構造体
２      基板
２ａ    表面
２ｂ    孔部
３      データ領域の凹凸部
４      サーボ領域の凹凸部
４ａ    プリアンブル部の凸部
４ｂ    アドレス部の凸部
４ｃ    バースト部の凸部
１０    Ｓｉ基板
１１    Ｓｉ原盤
２１    フォトレジスト層
２４    インプリントレジスト層
２５    インプリントレジスト層
３０    被加工基板
４０    磁気記録媒体の基板
５０    磁性層
７０    非磁性層
１００  磁気記録媒体
１１０  データ領域
１２０  サーボ領域
１２１  プリアンブル部
１２２  アドレス部
１２３  バースト部
１３０  データ領域
１４０  サーボ領域
１４１  プリアンブル部
１４２  アドレス部
１４３  バースト部
【図１】
2009043316.tif 000004
【図２】
2009043316.tif 000005
【図３Ａ】
2009043316.tif 000006
【図３Ｂ】
2009043316.tif 000007
【図４】
2009043316.tif 000008
【図５】
2009043316.tif 000009